(57)【要約】【課題】一対のカーテンを共に閉じた際に、印刷された１枚の画像の見栄えが良好な両開きカーテン、および前記両開きカーテンの製造方法を提供する。【解決手段】左カーテン１０の正面１１には、１枚の画像のうち境界線から左側の左側画像領域が、左側画像領域の右端部と左カーテン１０の右端部を一致させた状態で印刷されている。右カーテン２０の正面には、１枚の画像のうち境界線から右側の右側画像領域が、右側画像領域の左端部と右カーテン２０の左端部を一致させた状態で印刷されている。左カーテン１０の右耳部には、右側画像領域の左端部と右耳部の折り返し線を一致させた状態で、右側画像領域の一部が印刷されている。右カーテン２０の左耳部には、左側画像領域の右端部と左耳部の折り返し線を一致させた状態で、左側画像領域の一部が印刷されている。【選択図】図１
2019084016.tif 000002
【特許請求の範囲】
【請求項１】
左カーテンおよび右カーテンを備えた両開きカーテンであって、
前記左カーテンは、
右端部を折り返し線として裏面側に折り返された部位である左カーテン右耳部を備え、
前記右カーテンは、
左端部を折り返し線として裏面側に折り返された部位である右カーテン左耳部を備え、
前記左カーテンの正面には、１枚の画像のうち、前記画像を上下方向に横断する境界線から左側の左側画像領域が、前記左側画像領域の右端部と前記左カーテンの右端部を一致させた状態で印刷されており、
前記右カーテンの正面には、前記１枚の画像のうち前記境界線から右側の右側画像領域が、前記右側画像領域の左端部と前記右カーテンの左端部を一致させた状態で印刷されており、
前記左カーテン右耳部には、前記右側画像領域の左端部と前記左カーテン右耳部の折り返し線を一致させた状態で、前記右側画像領域の一部が印刷されており、
前記右カーテン左耳部には、前記左側画像領域の右端部と前記右カーテン左耳部の折り返し線を一致させた状態で、前記左側画像領域の一部が印刷されていることを特徴とする両開きカーテン。
【請求項２】
左カーテンおよび右カーテンを備えた両開きカーテンの製造方法であって、
１枚の画像のうち、前記画像を上下方向に横断する境界線から左側の左側画像領域と、前記境界線から右側へ延びる右側付加領域とを含む領域を、前記左カーテン用の生地の表側の面に印刷する左用印刷工程と、
前記１枚の画像のうち、前記境界線から右側の右側画像領域と、前記境界線から左側へ延びる左側付加領域とを含む領域を、前記右カーテン用の生地の表側の面に印刷する右用印刷工程と、
前記左用印刷工程による印刷が行われた前記左カーテン用の生地のうち、前記右側付加領域が印刷された部位を、前記境界線を折り返し線として裏面側に折り返して固定することで、前記左カーテンの右耳部を形成する右耳部形成工程と、
前記右用印刷工程による印刷が行われた前記右カーテン用の生地のうち、前記左側付加領域が印刷された部位を、前記境界線を折り返し線として裏面側に折り返して固定することで、前記右カーテンの左耳部を形成する左耳部形成工程と、
を含むことを特徴とする両開きカーテンの製造方法。
【発明の詳細な説明】
【技術分野】
【０００１】
本開示は、左カーテンと右カーテンを備えた両開きカーテン、および、両開きカーテンの製造方法に関する。
【背景技術】
【０００２】
従来、印刷装置によって生地に画像を印刷することでカーテンを製造する方法が知られている。例えば、規則的な模様を生地に印刷することで、カーテンが製造される場合がある。また、特許文献１では、写真または絵等の画像を印刷装置によって生地に印刷することで、カーテンを製造する技術が提案されている。
【０００３】
また、多くのカーテンでは、矩形の生地の端部が裏面側に折り返されて、縫製等によって固定される。その結果、生地の端部のほつれ等の不具合が生じにくくなる。以下では、カーテンの左右の端部に形成される折り返し部分を、耳部という。
【先行技術文献】
【特許文献】
【０００４】
【特許文献１】特開２００４−１３００１５号公報
【発明の概要】
【発明が解決しようとする課題】
【０００５】
両開きカーテンでは、一対のカーテン（左カーテンおよび右カーテン）を共に閉じた際の見栄えが良いことが好ましい。従って、１枚の画像の左側の領域を左カーテンに印刷し、右側の領域を右側に印刷する場合には、左カーテンに印刷された画像の右端部と、右カーテンに印刷された画像の左端部が、一対のカーテンを閉じた際に一致するのが望ましい。
【０００６】
ここで、一対のカーテンに１枚の画像を印刷する方法として、左カーテンの生地の右端部と、右カーテンの生地の左端部に予め耳部を形成した後に、各々のカーテンに画像を印刷する方法が考えられる。しかし、この方法では、左カーテンの右端部、および右カーテンの左端部の各々に、画像を隙間なく正確に印刷することは難しい。端部に印刷の隙間が生じると、それ自体が見栄えを悪化させるだけでなく、一対のカーテンを閉じても左右の画像が一致しない。
【０００７】
また、一対のカーテンの各々に画像を印刷した後に、左カーテンの生地の右端部と、右カーテンの生地の左端部に耳部を形成する方法も考えられる。しかし、この方法では、左カーテンの生地の右端部に印刷された画像と、右カーテンの生地の左端部に印刷された画像が、耳部を形成することで生地の裏側に隠れてしまう。その結果、一対のカーテンを閉じても左右の画像が一致しなくなる。また、耳部として後に裏面側に折り返される部分を、印刷を行わない空白部分として、後に表側の面となる領域にのみ印刷を行う方法も考えられる。しかし、この場合には、正確な位置で生地を折り返さなければ、空白部分の一部が耳部形成後に表側に露出してしまい、見栄えが悪化する場合がある。
【０００８】
本開示の典型的な目的は、一対のカーテンを共に閉じた際に、印刷された１枚の画像の見栄えが良好な両開きカーテン、および前記両開きカーテンの製造方法を提供することである。
【課題を解決するための手段】
【０００９】
本開示における典型的な実施形態が提供する両開きカーテンは、左カーテンおよび右カーテンを備えた両開きカーテンであって、前記左カーテンは、右端部を折り返し線として裏面側に折り返された部位である左カーテン右耳部を備え、前記右カーテンは、左端部を折り返し線として裏面側に折り返された部位である右カーテン左耳部を備え、前記左カーテンの正面には、１枚の画像のうち、前記画像を上下方向に横断する境界線から左側の左側画像領域が、前記左側画像領域の右端部と前記左カーテンの右端部を一致させた状態で印刷されており、前記右カーテンの正面には、前記１枚の画像のうち前記境界線から右側の右側画像領域が、前記右側画像領域の左端部と前記右カーテンの左端部を一致させた状態で印刷されており、前記左カーテン右耳部には、前記右側画像領域の左端部と前記左カーテン右耳部の折り返し線を一致させた状態で、前記右側画像領域の一部が印刷されており、前記右カーテン左耳部には、前記左側画像領域の右端部と前記右カーテン左耳部の折り返し線を一致させた状態で、前記左側画像領域の一部が印刷されている。
【００１０】
本開示における典型的な実施形態が提供する両開きカーテンの製造方法は、左カーテンおよび右カーテンを備えた両開きカーテンの製造方法であって、１枚の画像のうち、前記画像を上下方向に横断する境界線から左側の左側画像領域と、前記境界線から右側へ延びる右側付加領域とを含む領域を、前記左カーテン用の生地の表側の面に印刷する左用印刷工程と、前記１枚の画像のうち、前記境界線から右側の右側画像領域と、前記境界線から左側へ延びる左側付加領域とを含む領域を、前記右カーテン用の生地の表側の面に印刷する右用印刷工程と、前記左用印刷工程による印刷が行われた前記左カーテン用の生地のうち、前記右側付加領域が印刷された部位を、前記境界線を折り返し線として裏面側に折り返して固定することで、前記左カーテンの右耳部を形成する右耳部形成工程と、前記右用印刷工程による印刷が行われた前記右カーテン用の生地のうち、前記左側付加領域が印刷された部位を、前記境界線を折り返し線として裏面側に折り返して固定することで、前記右カーテンの左耳部を形成する左耳部形成工程と、を含む。
【００１１】
本開示における両開きカーテン、および両開きカーテンの製造方法によると、一対のカーテンを共に閉じた際に、印刷された１枚の画像の見栄えが良好となる。
【図面の簡単な説明】
【００１２】
【図１】両開きカーテン１の正面図である。
【図２】両開きカーテン１の背面図である。
【図３】画像１００のうち、左カーテン１０用の生地に印刷される画像領域１１０を説明するための説明図である。
【図４】画像領域１１０が印刷された直後の左カーテン１０の正面図である。
【図５】画像１００のうち、右カーテン２０用の生地に印刷される画像領域１２０を説明するための説明図である。
【図６】画像領域１２０が印刷された直後の右カーテン２０の正面図である。
【図７】両開きカーテン製造工程のフローチャートである。
【発明を実施するための形態】
【００１３】
＜概要＞
本開示で例示する両開きカーテンは、左カーテンおよび右カーテンを備える。左カーテンは、右端部を折り返し線として裏面側に折り返された部位である左カーテン右耳部を備える。左カーテンの正面には、１枚の画像のうち、画像領域を上下方向に横断する境界線から左側の左側画像領域が印刷されている。左カーテンの正面に印刷されている左側画像領域の右端部は、左カーテンの右端部に一致している。左カーテン右耳部には、１枚の画像のうち前記境界線から右側の右側画像領域の一部が印刷されている。左カーテン右耳部が折り返されていない状態において、左カーテン右耳部に印刷された右側画像領域の左端部は、左カーテン右耳部の折り返し線（つまり、左カーテンの右端部）に一致する。また、右カーテンは、左端部を折り返し線として裏面側に折り返された部位である右カーテン左耳部を備える。右カーテンの正面には、１枚の画像のうち前記境界線から右側の右側画像領域が印刷されている。右カーテンの正面に印刷されている右側画像領域の左端部は、右カーテンに左端部に一致している。右カーテン左耳部には、左側画像領域の一部が印刷されている。右カーテン左耳部が折り返されていない状態において、右カーテン左耳部に印刷された左側画像領域の右端部は、右カーテン左耳部の折り返し線（つまり、右カーテンの左端部）に一致する。
【００１４】
本開示における両開きカーテンでは、左カーテンの右端部から左カーテン右耳部にかけて連続して画像が印刷されているので、左カーテンの右端部に印刷の隙間が生じない。同様に、右カーテンの左端部から右カーテン左耳部にかけて連続して画像が印刷されているので、右カーテンの左端部に印刷の隙間が生じない。さらに、左カーテンと右カーテンを共に閉じると、左側画像領域の右端部と右側画像領域の左端部が一致し、見栄えが良い１枚の画像が正面に表れる。
【００１５】
なお、左カーテン右耳部の全体に右側画像領域が印刷されている必要は無い。例えば、左カーテン右耳部のうち、折り返し線からある程度の幅だけ横方向に延びる領域にのみ、右側画像領域が印刷されていてもよい。同様に、右カーテン左耳部の全体に左側画像領域が印刷されている必要は無い。例えば、右カーテン左耳部のうち、折り返し線からある程度の幅だけ横方向に延びる領域にのみ、左側画像領域が印刷されていてもよい。
【００１６】
また、左カーテンの正面の全体に左側画像領域が印刷されている必要は無い。例えば、左カーテンの正面の左側、上側、下側等の少なくとも一部に、画像が印刷されていない領域が存在してもよい。同様に、右カーテンの正面の全体に右側画像領域が印刷されている必要は無い。
【００１７】
左カーテンは、左端部を折り返し線として裏面側に折り返された左カーテン左耳部をさらに備えていてもよい。左カーテン左耳部には、左側画像領域のうち、左カーテンの正面に印刷された領域からさらに左側に延びる左予備領域が印刷されていてもよい。左カーテン左耳部が折り返されていない状態において、左予備領域の右端部は、左カーテン左耳部の折り返し線に一致していてもよい。この場合、左カーテンの左端部においても印刷の隙間が生じない。
【００１８】
左カーテンは、上端部を折り返し線として裏面側に折り返された左カーテン上折り返し部をさらに備えていてもよい。左カーテン上折り返し部には、左側画像領域のうち、左カーテンの正面に印刷された領域からさらに上側に延びる上予備領域が印刷されていてもよい。左カーテン上折り返し部が折り返されていない状態において、上予備領域の下端部は、左カーテン上折り返し部の折り返し線に一致していてもよい。この場合、左カーテンの上端部においても印刷の隙間が生じない。
【００１９】
左カーテンは、下端部を折り返し線として裏面側に折り返された左カーテン裾部をさらに備えていてもよい。左カーテン裾部には、左側画像領域のうち、左カーテンの正面に印刷された領域からさらに下側に延びる下予備領域が印刷されていてもよい。左カーテン裾部が折り返されていない状態において、下予備領域の上端部は、左カーテン裾部の折り返し線に一致していてもよい。この場合、左カーテンの下端部においても印刷の隙間が生じない。
【００２０】
右カーテンは、右端部を折り返し線として裏面側に折り返された右カーテン右耳部をさらに備えていてもよい。右カーテン右耳部には、右側画像領域のうち、右カーテンの正面に印刷された領域からさらに右側に延びる右予備領域が印刷されていてもよい。右カーテン右耳部が折り返されていない状態において、右予備領域の左端部は、右カーテン右耳部の折り返し線に一致していてもよい。この場合、右カーテンの右端部においても印刷の隙間が生じない。
【００２１】
右カーテンは、上端部を折り返し線として裏面側に折り返された右カーテン上折り返し部をさらに備えていてもよい。右カーテン上折り返し部には、右側画像領域のうち、右カーテンの正面に印刷された領域からさらに上側に延びる上予備領域が印刷されていてもよい。右カーテン上折り返し部が折り返されていない状態において、上予備領域の下端部は、右カーテン上折り返し部の折り返し線に一致していてもよい。この場合、右カーテンの上端部においても印刷の隙間が生じない。
【００２２】
右カーテンは、下端部を折り返し線として裏面側に折り返された右カーテン裾部をさらに備えていてもよい。右カーテン裾部には、右側画像領域のうち、右カーテンの正面に印刷された領域からさらに下側に延びる下予備領域が印刷されていてもよい。右カーテン裾部が折り返されていない状態において、下予備領域の上端部は、右カーテン裾部の折り返し線に一致していてもよい。この場合、右カーテンの下端部においても印刷の隙間が生じない。
【００２３】
本開示で例示する両開きカーテンの製造方法は、左用印刷工程、右用印刷工程、右耳部形成工程、および左耳部形成工程を含む。左用印刷工程では、１枚の画像のうち、画像領域を上下方向に横断する境界線から左側の左側画像領域と、境界線から右側へ延びる右側付加領域とを含む領域が、左カーテン用の生地の表側の面に印刷される。右用印刷工程では、１枚の画像のうち、境界線から右側の右側画像領域と、境界線から左側へ延びる左側付加領域とを含む領域が、右カーテン用の生地の表側の面に印刷される。右耳部形成工程では、左用印刷工程による印刷が行われた左カーテン用の生地のうち、右側付加領域が印刷された部位が、画像領域の境界線を折り返し線として裏面側に折り返されて固定されることで、左カーテンの右耳部が形成される。左耳部形成工程では、右用印刷工程による印刷が行われた右カーテン用の生地のうち、左側付加領域が印刷された部位が、画像領域の境界線を折り返し線として裏面側に折り返されて固定されることで、右カーテンの左耳部が形成される。
【００２４】
本開示における両開きカーテンの製造方法によると、１枚の画像のうち、境界線を挟んで隣接している左側画像領域と右側付加領域が、左カーテン用生地に印刷される。その後、印刷された画像の境界線を折り返し線として、左カーテンの右耳部が形成される。従って、完成した左カーテンの右端部には、印刷の隙間が生じない。同様に、１枚の画像のうち、境界線を挟んで隣接している右側画像領域と左側付加領域が、右カーテン用生地に印刷される。その後、境界線を折り返し線として、右カーテンの左耳部が形成される。よって、完成した右カーテンの左端部にも印刷の隙間が生じない。さらに、完成して設置された左カーテンと右カーテンを共に閉じると、左側画像領域の右端部と右側画像領域の左端部が一致し、見栄えが良い１枚の画像が正面に表れる。
【００２５】
なお、左用印刷工程、右用印刷工程、右耳部形成工程、および左耳部形成工程を行う順番は、適宜選択できる。例えば、左用印刷工程、右耳部形成工程、右用印刷工程、および左耳部形成工程の順に各工程が行われてもよい。また、左用印刷工程の前に右用印刷工程が行われてもよいし、右耳部形成工程の前に左耳部形成工程が行われてもよい。
【００２６】
また、左用印刷工程において印刷が行われる左カーテン用生地と、右用印刷工程において印刷が行われる右カーテン用生地は、予め別々に設けられていてもよい。逆に、左カーテン用生地と右カーテン用生地は、左用印刷工程および右用印刷工程が行われる時点では１枚の生地であってもよい。つまり、１枚の生地の一部が左カーテン用生地とされ、他の部分が右カーテン用生地とされてもよい。この場合、左用印刷工程および右用印刷工程が行われた後に、画像が印刷された１枚の生地を左カーテン用生地と右カーテン用生地に切断する切断工程が行われてもよい。また、印刷時における左カーテン用生地と右カーテン用生地が１枚の生地である場合には、左用印刷工程と右用印刷工程は、分離した印刷動作でなく１回の印刷動作によって実行されてもよい。
【００２７】
＜実施形態＞
以下、本開示における典型的な実施形態について、図面を参照して説明する。まず、図１および図２を参照して、本実施形態の両開きカーテン１の構成について説明する。図１は両開きカーテン１の正面図であり、図１の紙面手前側が両開きカーテン１の正面側（表側）、図１の紙面奥側が両開きカーテン１の背面側（裏側）となる。また、図２は両開きカーテン１の背面図であり、図２の紙面手前側が両開きカーテン１の背面側（裏側）、図２の紙面奥側が両開きカーテン１の正面側（表側）となる。
【００２８】
両開きカーテン１は、左カーテン１０および右カーテン２０を備える。一例として、本実施形態における左カーテン１０および右カーテン２０の各々は、正面視矩形に形成されている。しかし、左カーテン１０および右カーテン２０の正面視形状は、厳密な矩形とする必要は無い。例えば、左カーテン１０および右カーテン２０の各々の下端部に、湾曲した部分、または凹凸部分等が形成されていてもよい。
【００２９】
図１に示すように、左カーテン１０の正面（表側の面）１１の少なくとも一部（本実施形態では全面）には、印刷装置によって画像が印刷されている。同様に、右カーテン２０の正面２１の少なくとも一部（本実施形態では全面）にも画像が印刷されている。この詳細は後述する。
【００３０】
図２に示すように、右カーテン１０は、右耳部１２、左耳部１３、上折り返し部１４、および裾部１５を備える。右耳部１２は、右カーテン１０の右端部１８Ｒを折り返し線として、生地が裏面側に折り返された部位である。左耳部１３は、右カーテン１０の左端部１８Ｌを折り返し線として、生地が裏面側に折り返された部位である。上折り返し部１４は、右カーテン１０の上端部１８Ｔを折り返し線として、生地が裏面側に折り返された部位である。裾部１５は、右カーテン１０の下端部１８Ｂを折り返し線として、生地が裏面側に折り返された部位である。右耳部１２、左耳部１３、上折り返し部１４、および裾部１５が形成されることで、生地の端部のほつれ等の不具合が生じにくくなる。なお、上折り返し部１４には、右カーテン１０をカーテンレール（図示せず）に掛けるための構成が設けられている。一例として、本実施形態の上折り返し部１４には、複数のフック５が左右方向に等間隔に並べて装着されている。
【００３１】
左カーテン２０も、右カーテン１０と同様に、右耳部２２、左耳部２３、上折り返し部２４、および裾部２５を備える。右耳部２２は、右カーテン２０の右端部２８Ｒを折り返し線として、生地が裏面側に折り返された部位である。左耳部２３は、右カーテン２０の左端部２８Ｌを折り返し線として、生地が裏面側に折り返された部位である。上折り返し部２４は、右カーテン２０の上端部２８Ｔを折り返し線として、生地が裏面側に折り返された部位である。裾部２５は、右カーテン２０の下端部２８Ｂを折り返し線として、生地が裏面側に折り返された部位である。なお、右カーテン２０の上折り返し部２４にも、複数のフック５が設けられている。
【００３２】
図３〜図６を参照して、両開きカーテン１に印刷される画像１００の領域と、左カーテン１０および右カーテン２０における各部位との関係について説明する。一例として、本実施形態では、複数の人物が写っている写真の画像１００を両開きカーテン１に印刷する場合について例示する。なお、両開きカーテン１に印刷される画像は、写真の画像に限定されず、絵または模様等の画像であってもよい。
【００３３】
図３を参照して、左カーテン１０用の生地に印刷される画像領域１１０について説明する。まず、印刷される画像１００に対して境界線Ｋが設定される。境界線Ｋは、画像１００を上下方向に横断する線である。完成した左カーテン１０と右カーテン２０が共に閉じられた場合に、境界線Ｋは、左カーテン１０と右カーテン２０の境界（つまり、左カーテン１０の右端部１８Ｒと、右カーテン２０の左端部２８Ｌが接する位置）に一致する。従って、画像１００に設定される境界線Ｋの位置は、左カーテン１０と右カーテン２０の各々の大きさ、および、両開きカーテン１に対する画像１００の望ましい配置等に応じて設定される。
【００３４】
左カーテン１０用の生地に印刷される画像領域１１０は、左側画像領域１１１と右側付加領域１１７を含む。左側画像領域１１１は、１枚の画像１００のうち、境界線Ｋから左側の領域である。右側付加領域１１７は、画像１００のうち、境界線Ｋから所定の幅だけ右側に延びる領域である。右側付加領域１１７は、後述する右側画像領域１２１（図５参照）の一部と重複している。換言すると、右側付加領域１１７は、右側画像領域１２１の左端において上下方向に延びる帯状の領域と同一である。
【００３５】
また、左側画像領域１１１は、正面領域１１２、左予備領域１１３、上予備領域１１４、および下予備領域１１５を含む。正面領域１１２は、左カーテン１０の正面１１（図１参照）に印刷される領域である。左予備領域１１３は、正面領域１１２からさらに左側に延びる領域である。上予備領域１１４は、正面領域１１２から上側に延びる領域である。下予備領域１１５は、正面領域１１２から下側に延びる領域である。
【００３６】
図４は、画像領域１１０が印刷された直後（つまり、右耳部１２、左耳部１３、上折り返し部１４、および裾部１５が形成される前）の、左カーテン１０の正面図である。右耳部１２は、左カーテン１０用の生地のうち、右側付加領域１１７（図３参照）が印刷された部位１２Ｘを、境界線Ｋを折り返し線として裏面側に折り返して固定することで形成される。つまり、右耳部１２（図２参照）に印刷された右側付加領域１１７（つまり、右側画像領域１２１の左端部近傍の領域）の左端部は、右耳部１２の折り返し線である境界線Ｋに一致する。従って、境界線Ｋの近傍（つまり、左カーテン１０の右端部１８Ｒの近傍）には印刷の隙間が生じにくい。さらに、右耳部１２が形成されると、左カーテン１０の右端部は、画像１００の境界線Ｋに一致する。
【００３７】
また、左耳部１３（図２参照）は、左予備領域１１３（図３参照）が印刷された部位１３Ｘを裏面側に折り返すことで形成される。つまり、左予備領域１１３の右端部の線が、左耳部１３の折り返し線となる。上折り返し部１４（図２参照）は、上予備領域１１４（図３参照）が印刷された部位１４Ｘを裏面側に折り返すことで形成される。つまり、上予備領域１１４の下端部の線が、上折り返し部１４の折り返し線となる。裾部１５（図２参照）は、下予備領域１１５（図３参照）が印刷された部位を裏面側に折り返すことで形成される。つまり、下予備領域１１５の上端部の線が、裾部１５の折り返し線となる。従って、左カーテン１０では、左端部１８Ｌ、上端部１８Ｔ、および下端部１８Ｂの近傍でも印刷の隙間が生じにくい。
【００３８】
図５を参照して、右カーテン２０用の生地に印刷される画像領域１２０について説明する。画像領域１２０は、右側画像領域１２１と左側付加領域１２７を含む。右側画像領域１２１は、１枚の画像１００のうち、境界線Ｋから右側の領域である。左側付加領域１２７は、画像１００のうち、境界線Ｋから所定の幅だけ左側に延びる領域である。左側付加領域１２７は、前述した左側画像領域１１１（図３参照）の一部と重複している。換言すると、左側付加領域１２７は、左側画像領域１１１の右端において上下方向に延びる帯状の領域と同一である。
【００３９】
また、右側画像領域１２１は、正面領域１２２、右予備領域１２３、上予備領域１２４、および下予備領域１２５を含む。正面領域１２２は、右カーテン２０の正面２１（図１参照）に印刷される領域である。右予備領域１２３は、正面領域１２２からさらに右側に延びる領域である。上予備領域１２４は、正面領域１２２から上側に延びる。下予備領域１２５は、正面領域１２２から下側に延びる。
【００４０】
図６は、画像領域１２０が印刷された直後（つまり、右耳部２２、左耳部２３、上折り返し部２４、および裾部２５が形成される前）の、右カーテン２０の正面図である。左耳部２３は、右カーテン２０用の生地のうち、左側付加領域１２７（図５参照）が印刷された部位２３Ｘを、境界線Ｋを折り返し線として裏面側に折り返して固定することで形成される。つまり、左耳部２３（図２参照）に印刷された左側付加領域１２７（つまり、左側画像領域１１１の右端部近傍の領域）の右端部は、左耳部２３の折り返し線である境界線Ｋに一致する。従って、境界線Ｋの近傍（つまり、右カーテン２０の左端部２８Ｌの近傍）には印刷の隙間が生じにくい。さらに、左耳部２３が形成されると、右カーテン２０の左端部は、画像１００の境界線Ｋに一致する。よって、左カーテン１０と右カーテン２０が共に閉じられると、左カーテン１０の正面１１に印刷された画像と、右カーテン２０の正面２１に印刷された画像が綺麗に一致する。
【００４１】
また、右耳部２２（図２参照）は、右予備領域１２３（図５参照）が印刷された部位２２Ｘを裏面側に折り返すことで形成される。つまり、右予備領域１２３の左端部の線が、右耳部２２の折り返し線となる。上折り返し部２４（図２参照）は、上予備領域１２４（図５参照）が印刷された部位２４Ｘを裏面側に折り返すことで形成される。つまり、上予備領域１２４の下端部の線が、上折り返し部１２４の折り返し線となる。裾部２５（図２参照）は、下予備領域１２５（図５参照）が印刷された部位を裏面側に折り返すことで形成される。つまり、下予備領域１２５の上端部の線が、裾部２５の折り返し線となる。従って、右カーテン２０では、右端部２８Ｒ、上端部２８Ｔ、および下端部２８Ｂの近傍でも印刷の隙間が生じにくい。
【００４２】
図７を参照して、本実施形態における両開きカーテンの製造工程について説明する。なお、以下説明する製造工程は一例に過ぎない。従って、前述したように、各工程の順番を変更すること等も可能である。
【００４３】
まず、左用印刷工程が行われる（Ｓ１）。左用印刷工程では、図３に示すように、境界線Ｋから左側の左側画像領域１１１と、境界線Ｋから右側へ延びる右側付加領域１１７を含む印刷領域１１０が、左カーテン１０用の生地の正面（表側の面）に印刷される。
【００４４】
次いで、右用印刷工程が行われる（Ｓ２）。右用印刷工程では、図５に示すように、境界線Ｋから右側の右側画像領域１２１と、境界線Ｋから左側へ延びる左側付加領域１２７を含む印刷領域１２０が、右カーテン２０用の生地の正面に印刷される。
【００４５】
なお、本実施形態では、左カーテン１０用の生地と右カーテン２０用の生地は、予め別々に設けられている。しかし、左用印刷工程（Ｓ１）と右用印刷工程（Ｓ２）が行われる時点では、左カーテン１０用の生地と右カーテン２０用の生地は、同一の１枚の生地であってもよい。つまり、１枚の生地の一部が左カーテン１０用の生地とされ、他の部分が右カーテン２０用の生地とされてもよい。この場合、左用印刷工程（Ｓ１）と右用印刷工程（Ｓ２）が行われた後に、印刷が行われた１枚の生地を、左カーテン１０用の生地と右カーテン２０用の生地に切断（分離）する切断工程が行われてもよい。また、左用印刷工程（Ｓ１）と右用印刷工程（Ｓ２）は、印刷装置による１回の印刷動作で実行されてもよい。また、印刷装置には、生地への印刷を行うことが可能な種々の印刷装置（例えば、布帛用インクジェットプリンタ等）を用いることができる。
【００４６】
次いで、左カーテン１０の右耳部形成工程が行われる（Ｓ３）。この工程では、左用印刷工程（Ｓ１）で印刷が行われた左カーテン１０用の生地のうち、右側付加領域１１７が印刷された部位１２Ｘ（図４参照）が、境界線Ｋを折り返し線として裏面側に折り返されて固定される。その結果、左カーテン１０の右耳部１２が形成される。折り返した部分を固定する方法には、種々の方法（例えば、縫製による固定、接着剤による固定等）を使用できる。
【００４７】
次いで、左カーテン１０の左耳部１３、上折り返し部１４、および裾部１５の形成工程が行われる（Ｓ４）。この工程では、前述した部位１３Ｘ，１４Ｘ，１５Ｘ（図４参照）の各々が、裏面側に折り返されて固定される。
【００４８】
次いで、右カーテン２０の左耳部形成工程が行われる（Ｓ５）。この工程では、右用印刷工程（Ｓ２）で印刷が行われた右カーテン２０用の生地のうち、左側付加領域１２７が印刷された部位２３Ｘ（図６参照）が、境界線Ｋを折り返し線として裏面側に折り返されて工程される。その結果、右カーテン２０の左耳部２３が形成される。
【００４９】
次いで、右カーテン２０の右耳部２２、上折り返し部２４、および裾部２５の形成工程が行われる（Ｓ６）。この工程では、前述した部位２２Ｘ，２４Ｘ，２５Ｘ（図６参照）の各々が、裏面側に折り返されて固定される。
【００５０】
なお、本実施形態では、左カーテン１０用の生地および右カーテン２０用の生地のうち、後に裏面側に折り返される部分（１２Ｘ，１３Ｘ，１４Ｘ，１５Ｘ，２２Ｘ，２３Ｘ，２４Ｘ，２５Ｘ）の各々の幅は、予め定めされた幅となっている。従って、Ｓ３〜Ｓ６の工程では、左カーテン１０用の生地および右カーテン２０用の生地の各々の上下左右の端部のうち、予め定められた幅だけ裏面側に折り返されることで、適切な折り返し線を中心として生地が折り返される。その結果、例えば、完成した左カーテン１０の右端部と右カーテン２０の左端部が、共に画像１００の境界線Ｋに一致し、見栄えが向上する。なお、生地を折り返す位置を設定する方法を変更することも可能である。例えば、左用印刷工程（Ｓ１）および右用印刷工程（Ｓ２）では、後に折り返し線となる位置（例えば、印刷される画像１００のうち境界線Ｋが設定されている位置等）を示す目印が印刷されてもよい。この場合、目印を基準として生地が折り返されることで、両開きカーテン１の見栄えが向上する。
【００５１】
以上の工程によって製造された両開きカーテン１では、左カーテン１０の右端部、および右カーテン２０の左端部のいずれにも、印刷の隙間が生じにくい。さらに、完成して設置された左カーテン１０と右カーテン２０を共に閉じると、図１に示すように、左カーテン１０の正面１１に印刷された画像と、右カーテン２０の正面２１に印刷された画像が綺麗に一致する。
【符号の説明】
【００５２】
１    両開きカーテン
１０    左カーテン
１１    正面
１２    右耳部
２０    右カーテン
２１    正面
２３    左耳部
１００    画像
１１１    左側画像領域
１１７    右側付加領域
１２１    右側画像領域
１２７    左側付加領域
Ｋ    境界線
【図１】
2019084016.tif 000003
【図２】
2019084016.tif 000004
【図３】
2019084016.tif 000005
【図４】
2019084016.tif 000006
【図５】
2019084016.tif 000007
【図６】
2019084016.tif 000008
【図７】
2019084016.tif 000009